(57)【要約】体の管腔の少なくとも１部分を照射することにおいて有用な器具を提供する医療器具とその製造方法が開示される。器具は細長いフレキシブルなメンバおよび複数の光エミッタを有するポリマー容器部分を含む。光エミッタはワイヤーボンドを使用することなく相互に電気的に結合され得、一部の実施形態においては、電気経路またはトレースを介することなく結合され得る。光エミッタは部分的に重なり合う背中合わせの関係で、線状におよび／またはらせん状にのいずれかで配置され得る。
2008526319.tif 000002
【特許請求の範囲】
【請求項１】
体の管腔の少なくとも１部分を照射することにおいて有用な医療用器具であって、該器具は、
遠位端および近位端を有する細長いフレキシブルなメンバであって、該細長いフレキシブルなメンバの少なくとも１部分は、該体の該管腔の中で受容されかつ移動されるようなサイズおよび寸法を有する、メンバと、
複数の光エミッタであって、該光エミッタはワイヤーボンドを使用することなく相互に電気的に結合され、少なくとも１つの固有の放射波長帯において電磁放射を放射するために動作可能である、光エミッタと、
該複数の光エミッタを収容するポリマー容器部分であって、該ポリマー容器部分の少なくとも１部分は、該少なくとも１つの固有の放射波長帯における電磁放射に対して少なくとも部分的に透過性を有し、該ポリマー容器部分は、該体の該管腔の中で受容されかつ移動されるようなサイズおよび寸法を有し、該細長いフレキシブルなメンバの該近位端付近に配置され、該細長いフレキシブルなメンバの動きによって該体の該管腔の中を移動される、ポリマー容器部分と
を備え
該光エミッタは該ポリマー容器部分の長手方向の少なくとも１部分に沿って概ね分散配置され、該光エミッタのうちの連続して隣接するものは部分的に重複する位置関係を保って背中合わせに連続して配置され、該複数の光エミッタのそれぞれは少なくとも２つの端子を有し、該端子はそれぞれ、任意の介在性の電気トレースを用いることなく、該光エミッタのうちの前のエミッタのそれぞれの端子および該光エミッタのうちの次のエミッタのそれぞれの端子に接着される、医療用器具。
【請求項２】
前記複数の光エミッタのうちのそれぞれが放射の主軸を有する、請求項１に記載の医療用器具。
【請求項３】
前記複数の光エミッタのうちの第１のエミッタの前記放射の主軸は、該複数の光エミッタのうちの別のエミッタの該放射の主軸とは異なる方向を向く、請求項２に記載の医療用器具。
【請求項４】
前記光エミッタのうちの少なくとも一部のエミッタの前記放射の主軸は、該光エミッタのうちの次に隣接するエミッタの該放射の主軸とは正反対の方向である、請求項２に記載の医療用器具。
【請求項５】
前記ポリマー容器部分は長手方向の軸を有する円筒状である、請求項１に記載の医療用器具。
【請求項６】
前記光エミッタは、前記円筒状のポリマー容器部分の前記長手方向の軸に関してらせん状に分散配置される、請求項５に記載の医療用器具。
【請求項７】
前記細長いフレキシブルなメンバはカテーテルボディである、請求項１に記載の医療用器具。
【請求項８】
前記カテーテルボディは、前記ポリマー容器部分を少なくとも部分的に受容する内部部分を有する、請求項７に記載の医療用器具。
【請求項９】
前記カテーテルボディの少なくとも１部分は、前記複数の光エミッタの少なくとも１つの固有の放射波長帯における電磁放射に対して少なくとも部分的に透過性を有する、請求項８に記載の医療用器具。
【請求項１０】
前記細長いフレキシブルなメンバはガイドワイヤーであり、前記ポリマーは該ガイドワイヤーに物理的に結合される、請求項１に記載の医療用器具。
【請求項１１】
前記細長いフレキシブルなメンバはカテーテルボディであり、前記ポリマー容器部分は滑らかな外面を有する、請求項１に記載の医療用器具であって、該器具は、
前記体の前記管腔の中で移動するように該ポリマー容器部分に物理的に結合され、伸張構成と非伸張構成との間で伸張するように動作可能な伸張可能なメンバ
をさらに備える、医療用器具。
【請求項１２】
前記細長いフレキシブルなメンバはポリマーを備え、前記ポリマー容器部分および該細長いフレキシブルなメンバは、単一の構造の両方の部分である、請求項１に記載の医療用器具。
【請求項１３】
前記ポリマー容器部分は実質的に中実のシリンダである、請求項１に記載の医療用器具。
【請求項１４】
体の管腔の少なくとも１部分を照射することにおいて有益な医療用器具を形成する方法であって、
ワイヤーボンドを使用することなく複数の光エミッタを電気的に結合することであって、該光エミッタは少なくとも１つの固有の放射波長帯において電磁放射を放射するために動作可能であり、該複数の光エミッタのうちのそれぞれは少なくとも２つの端子を有し、ワイヤーボンドを使用することなく複数の光エミッタを電気的に結合することは、導電性接着剤を使用しかつ任意の介在性の電気トレースを使用することなく、該エミッタが部分的に重複する関係を保って背中合わせに配置されるように、少なくとも１つの連続して隣接する光エミッタのそれぞれの端子に、該光エミッタの該端子を直接的に接着することを包含する、結合することと、
体の管腔の中に受容されるようなサイズおよび寸法を有するポリマー容器部分に該複数の光エミッタを収容することであって、該ポリマー容器部分の少なくとも１部分は、少なくとも１つの固有の放射波長帯における電磁放射に対して少なくとも部分的に透過性を有する、収容することと、
体の管腔の中で少なくとも部分的に受容されるようなサイズである細長いフレキシブルなメンバに、該ポリマー容器部分を物理的に結合することと
を包含する、方法。
【請求項１５】
ワイヤーボンドを使用することなく複数の光エミッタを電気的に結合することは、前記光エミッタの前記端子の陽極の端子のそれぞれを、前記次の連続して隣接する光エミッタの該端子の陰極の端子に電気的に結合することを包含し、該複数の光エミッタは直列に電気的に結合される、請求項１４に記載の方法。
【請求項１６】
前記複数の光エミッタをポリマー容器部分に収容することは、長手方向の軸および滑らかな外面を有する円筒状のポリマー容器部分に該複数の光エミッタを収容することを包含する、請求項１４に記載の方法。
【請求項１７】
前記複数の光エミッタをポリマー容器部分に収容する前に、前記円筒状のポリマー容器部分の前記長手方向の軸に関して該光エミッタをらせん状に分散配置することをさらに包含する、請求項１４に記載の方法。
【請求項１８】
前記ポリマー容器部分を細長いフレキシブルなメンバに物理的に結合することは、該ポリマー容器部分をカテーテルに物理的に結合することを包含する、請求項１４に記載の方法。
【請求項１９】
前記ポリマー容器部分を細長いフレキシブルなメンバに物理的に結合することは、該ポリマー容器部分をカテーテルへのガイドワイヤーに物理的に結合することを包含する、請求項１４に記載の方法。
【発明の詳細な説明】
【技術分野】
【０００１】
本発明の開示は、医療診断および医療処置、特に体内の管腔で行なわれる診断および処置、例えば管腔の一部分を照射する光線療法の処置において有用なデバイスおよび方法に関する。
【背景技術】
【０００２】
近年、多くの研究が光線療法、特に光反応治療にささげられてきた。これらの治療法は一般的に、病気の組織または所望されない組織を死滅させるある種の光反応合成物（すなわち「光感作物質」）の励起を含む。光感作物質は一般的に、光の少なくとも１つの特定の波長（すなわち励起波長）による照射によって活性化され、光力学療法（ＰＤＴ）に使用される。様々な波長が特定の光感作物質に応じて適切であり得、例えば電磁スペクトルの可視光部分、赤外線部分、および／または紫外線部分における電磁放射の波長が適切となり得る。
【０００３】
適切な励起波長を発するレーザーのような光源は一般的に、眼、心臓、腫瘍およびその他の、多数の病状における標的組織を処置するために、光感作物質を活性化するために使用される。例えば年齢関連の黄斑変性（ＡＭＤ）、緑内障、および／または糖尿病性網膜症（ＤＲ）において、光感作物質は、病変眼組織の中の急速で制御不能な血管成長（すなわち新血管形成）および関連する網膜下の流体濃縮によって一般的に示されるような形成物を阻害し、または病気の進行を遅らせるために使用され得る。
【０００４】
光反応処置システムの２つの重要で関連するコンポーネントは光感作物質と、励起光源および光を適切に標的組織に供給する器具である。ＰＤＴに関する従来のアプローチは、光感作物質が病変組織に存在するときの、所望の強度、期間、形状、およびタイミングの露光の必要性によって取り組みがなされている。方向を誤ったまたは奇形の照射のような不適切に生成される照射は、意図しない影響を有し得る。従って、組織が処置されるのに非常に適した、体の管腔において照射を提供するための適切な医療用器具が、処置を成功させる要素となり得る。
【発明の開示】
【課題を解決するための手段】
【０００５】
光療法、特に、腔内、血管内、または組織内のいずれかの光反応治療による人間の患者の処置において有用な、フレキシブルなデバイスまたは構造を使用する医療用の器具が本明細書において開示される。これらの各デバイスは光を放射するかまたは光エミッタを含むかのいずれかの複数の構造を含み、構造はコンパクトなデバイスを提供するために相互に隣接して配置される。
【０００６】
一実施形態において、体の管腔の少なくとも１部分を照射するのに有用な医療用器具は、遠位端および近位端を有する細長いフレキシブルなメンバであって、該細長いフレキシブルなメンバの少なくとも１部分は体の管腔の中において受容かつ移動されるようなサイズおよび寸法を有するメンバと、複数の光エミッタであって、該光エミッタは部分的に重複する関係で背中合わせに、ワイヤーボンドを使用することなく相互に電気的に結合され、かつ少なくとも１つの固有の放射波長帯において電磁放射を放射するために動作可能であるエミッタと、複数の光エミッタを収容するポリマー容器部分であって、該ポリマー容器部分の少なくとも１つの部分が少なくとも１つの固有の放射波長帯における電磁放射に対して少なくとも部分的に透過性を有し、ポリマー容器部分は体の管腔の中において受容かつ移動されるようなサイズおよび寸法を有し、細長いフレキシブルなメンバの動作によって体の管腔の中において移動されるように細長いフレキシブルなメンバの近位端付近に配置されるポリマー容器部分とを備える。光エミッタは２つ以上の異なる方向に向けられ得る放射の主軸を有する。医療用器具は、ポリマー容器部分とともに体の管腔の中に移動するように物理的に結合され、かつ伸張構成と非伸張構成との間で伸張するように動作可能な、伸張可能なメンバを含み得る。一部の実施形態において、光エミッタはらせん状に配置され得る。
【０００７】
別の実施形態において、体の管腔の少なくとも１部分を照射するのに有用な医療用器具を形成する方法は、ワイヤーボンドを使用することなく、部分的に重複する関係で背中合わせに複数の光エミッタを電気的に結合することであって、光エミッタは少なくとも１つの固有の放射波長帯において電磁放射を放射するように動作可能である、結合することと、体の管腔の中において受容されるようなサイズおよび寸法を有するポリマー容器部分に複数の光エミッタを収容することであって、ポリマー容器部分の少なくとも１部分が少なくとも１つの固有の放射波長帯における電磁放射に対して少なくとも部分的に透過性を有する、収容することと、体の中の管腔において少なくとも部分的に受容されるようなサイズであるポリマー容器部分を細長いフレキシブルなメンバに物理的に結合することとを包含する。該方法はさらに、ポリマー容器部分に複数の光エミッタを収容する前に、円筒状のポリマー容器部分の長手方向の軸に関してらせん状に光エミッタを分散配置することを包含し得る。
【０００８】
光エミッタはポリマー容器部分が曲るのを可能にするように適切に間隔をあけられ得る。光エミッタは、完全なアレイとして、または光エミッタのグループもしくは光エミッタケースのグループとして、または個々の光エミッタケースとしてのいずれかで、活性化するために、電源に電気的に結合可能であり得る。一実施形態において、配置は、光がポリマー容器部分から反対方向に放射されるのを可能にする。
【０００９】
各実施形態において、構造配置の多くの互換が可能であり、かつ単一の構造としてまたはグループの構造としてのいずれでも電気的活性化の多くの互換が可能である。  
【発明を実施するための最良の形態】
【００１０】
図面においては同じ参照番号は同じ要素または行為を特定する。図面の中の要素のサイズおよび相対的な位置は必ずしも尺度に合わせて描かれてはいない。例えば、様々な要素の形状および角度は尺度に合わせて描かれてはおらず、これらの要素の一部は図面の読みやすさを増すために任意に拡大されかつ配置されている。さらに、描かれる要素の特定の形状は特定の要素の実際の形状に関する任意の情報を伝えることを意図されず、単に図面の理解の容易さのために選択される。
【００１１】
以下の記述において、特定の明確な詳細が様々な開示される実施形態の完全な理解を提供するために述べられる。しかしながら、実施形態はこれらの特定の記述のうちの１つ以上を用いなくても、または他の方法、コンポーネント、材料などを用いても実行され得ることが当業者には理解される。他の例において、光エミッタ、発光ダイオード、レーザー、カテーテル、ガイドワイヤー、およびコントローラと関連する周知の構造は、実施形態の不必要に不明瞭な記述を避けるために、示されず、または詳細には述べられない。
【００１２】
文脈がそうではないと要求している場合でなければ、明細書および特許請求の範囲の全体を通じて、「含む」の用語ならびに「包含する」および「備える」のような変形は、「含むが、限定されない」というようなオープンな、包括的な意味に解釈される。
【００１３】
本明細書の全体を通じて「一実施形態」または「１実施形態」への言及は、実施形態と関連して記述される特定の特徴、構造、または特性が少なくとも１つの実施形態に含まれることを意味する。その結果として、本明細書の全体を通じて様々な場所における「一実施形態において」または「１実施形態において」の成句の出現は、必ずしも全て同じ実施形態を参照するわけではない。さらに、特定の特徴、構造、または特性が１つ以上の実施形態において任意の適切な方法で結合され得る。
【００１４】
本明細書において提供される見出しは利便性のみのためであり、実施形態の範囲または意味を判断しない。
【００１５】
図１は光反応治療において使用される従来の医療用器具構造１０を示す。構造１０は保護ポリマー１６に収容される多数の光エミッタ１４ａ、光エミッタ１４ｂ（総体として１４）を担持する１対の相対する面１２ａ、面１２ｂを有するフィルム１２を備える。
【００１６】
光エミッタ１４は発光ダイオード（ＬＥＤ）の形式である。光エミッタ１４のそれぞれはある程度広い空間範囲にわたって光を放射することが可能であり得るが、光エミッタ１４のそれぞれは放射の主軸１８を有し、この軸に関して空間範囲が定義され得る。光エミッタ１４ａ、光エミッタ１４ｂは、フィルム１２の相対する面１２、面１２ｂのそれぞれから照射を提供するために、放射の主軸が逆方向の関係となるように、フィルム１２をはさんで背中合わせの関係で、対に配置される。
【００１７】
光エミッタ１４のそれぞれはフィルム１２によって担持される伝導性の経路またはトレース（示されていない）と、電気的に結合される、１対の電極２０ａ、電極２０ｂ（図１では１組のみ番号付けされる）を有する。伝導性の経路またはトレースは通常は、例えば銅またはアルミニウムのような金属である。光エミッタ１４のそれぞれの一方の電極２０ａは各伝導性の経路またはトレース（示されていない）に設置される面であり、光エミッタのうちのそれぞれの他方の電極２０ｂはワイヤーボンド２２（図１では１組のみ番号付けされる）によって、各トレース（示されていない）にワイヤーボンドされる。したがって、伝導性の経路またはトレースによって、電力が光エミッタ１４に供給され得る。
【００１８】
曲げまたは外圧が破線２４ａ、破線２４ｂによって記述される軽度の変形をもたらす。結果として、金属製のワイヤーボンド２２、および／または光エミッタの電極２０ｂおよび／または伝導性の経路またはトレースとのワイヤーボンド２２の結合（例えばハンダ付け）は損傷し得、構造１０の故障という結果となり得る。さらに、光エミッタ１４ａ、光エミッタ１４ｂの背中合わせの配置は構造１０のサイズを制約する。結果として、構造１０は、放射の主軸１８に沿った光エミッタ１４の寸法ｄｅとポリマー１６が放射の主軸１８に沿って光エミッタ１４を越えて伸びる縁の厚みｄｍとの加算の合計の２倍に概ね等しい、断面の寸法ｄｐを有する。これに関して、ポリマー１６の厚みはボンディングワイヤー２２および付属物に充分な保護を提供するために充分でなければならないことが、指摘される。このサイズの制約は光反応治療用の構造の特定の考えられるアプリケーションにおいて重大な制約である。
【００１９】
光力学療法を含む光反応治療において、腔内照射、血管内照射、および組織内照射において、有用であるフレキシブルな光エミッタ担持構造が本明細書において開示される。一部の実施形態が、実質的に硬く透明な保護ポリマーに収容されるダイおよびダイワイヤー取付ポイントを提供することによって、曲げられるときまたは外部から圧力を加えられるときのデバイスの故障の問題に対処する。このアプローチは、小さい断面の寸法のデバイスの製造を可能とし、構造のサイズが重要な処置における使用を助長する。例えば、小さい寸法の構造は人体の組織内および血管内での侵襲性の使用においてより適切であり、その寸法がカテーテル、シース、および他の管におけるデバイスの使用を助長する。１．５ｍｍ以下の断面の最大寸法を有する構造は一部のアプリケーションにおいて適切であり得る。一部の実施形態は、例えば収容される０．５ｍｍのＬＥＤに対して０．６ｍｍであるように、単一の光エミッタ（例えばＬＥＤ）またはポリマーに収容される光エミッタのサイズよりも最大で０．１ｍｍ大きな寸法を有する構造を可能にする。約０．１ｍｍの差は構造を形成するポリマー保護膜の厚みから生じる。この寸法は技術の進歩につれて低減される。デバイスの寸法は光エミッタまたは収容される光エミッタまたは使用される他の光エミッタのサイズによって、さらに小さくなり得ることが容易に理解され得る。
【００２０】
一部の実施形態において、光エミッタは発光ダイオード（ＬＥＤ）の形式を取り得るが、これらの実施形態は、例えばレーザーダイのような他の分散型の光エミッタを使用し得る。
【００２１】
各実施形態において、少なくとも１つ、好ましくは複数の、光エミッタである構造または少なくとも１つの光エミッタをそれぞれ含む構造が存在する。これらの構造は相互に離れて置かれ、隣りの構造との間の間隙は、（光バーのような）デバイスが、曲り得る程度を決定し得る。なぜならば、曲ることはデバイスの一部の（正・逆両方向への）変形をもたらし、その結果として、間隙の距離によってこれらの構造の間の接触が生じ得るからである。それ故に、間隙の距離の選択は、デバイスが曲げられる必要性または見込みの程度を考慮に入れなければならない。結合される光エミッタは、光バーを形成する構造において線状のアレイを提供する。「光バー」の用語によって、実質的に細長い形状であって、その先端およびまたは長手方向に沿って１つ以上の光エミッタを含むデバイスを意味する。デバイスは一般的に、人間または他の哺乳類の体および／または人間の特定の組織に挿入するのに適切であるための要求に応じたサイズにされる。
【００２２】
以下の例示的な実施形態が、少なくとも１つの光エミッタを含む「ケース」である構造に関して記述されるが、ＬＥＤまたは他の光エミッタをケースに置き代えることは本発明の範囲内である。
【００２３】
図２は、図示された一実施形態に従って、体１０４の１部分の管腔１０２の中において照射を提供するために使用される、医療用システムの照射システム１００を示す。管腔１０２は血管、動脈、および／または器官を含むがそれらには限定されない、体１０４の任意の部分に形成され、または存在するものであり得る。
【００２４】
医療用照射システムはコントローラ１０６、細長いフレキシブルなメンバ１０８、およびポリマー容器部分１１２に収容される複数の光エミッタ１１０を備える。
【００２５】
細長いフレキシブルなメンバ１０８は遠位端１１４および近位端１１６を有し、例えばカテーテルボディまたはガイドワイヤーのような様々な形態を取り得、体１０４の管腔１０２に少なくとも部分的に受容されるようなサイズであり、寸法である。光エミッタ１１０を収容するポリマー容器部分１１２はまた、例えばロッドまたはバーのような様々な形態を取り得、管腔１０２に少なくとも部分的に受容されるようなサイズであり、寸法である。ポリマー容器部分１１２は有用にも生体親和性であり、または体１０４に対して生理学的に不活性であり得る。ポリマー容器部分１１２は近位端１１６付近でフレキシブルな細長いメンバ１０８に結合または固定され得、またはそれと一体の構造を形成し得る。
【００２６】
コントローラ１０６は、例えば壁にある標準的なコンセントから、またはバッテリーまたは燃料電池システムのような補助電力を含み得、または含み得ない専用の電力生成デバイスまたは電力源のような電源（示されていない）から、調整された電力を光エミッタ１１０に提供する。コントローラはフレキシブルな細長いメンバ１０８の遠位端に物理的および／または電気的に結合または固定され得る。
【００２７】
コントローラ１０６は一般的に電力を変換または転換するために電気的および／または電子的コンポーネントを含む。例えば、コントローラ１０６は、交流電流を直流電流に整流する整流器、電圧を上げまたは下げるコンバータ、および／または直流電流を交流電流に変換するインバータを含み得る。コントローラ１０６は有用にもパルス電流を光エミッタに提供する。コントローラ１０６は供給電力の持続期間、大きさ、またはパターンを調整するユーザー操作可能な制御を含み得、または含み得ない。
【００２８】
医療用システムの照射システム１００は、選択的に流体（すなわち、気体、液体、または蒸気）を伸張可能なメンバ（図１４を参照して以下で述べられる）に提供するように動作可能な、流体循環システム１４０をオプションとして含み得る。流体循環システム１４０は、流体を格納する格納リザーバ１４２、および格納リザーバ１４２と伸張可能なメンバとの間の流体の移送をもたらすために動作可能なポンプ１４４を含み得る。ポンプ１４４は、ピストンポンプ、ロータリーポンプ、コンプレッサ、送風機、またはファンを含む様々な形態を取り得る。コントローラ１０６はポンプ１４４の動作を制御するために結合され得る。流体循環システムはオプションとして、１つ以上のバルブ１４６を含み得、バルブの一部または全てがオプションとしてコントローラ１０６によって、例えば１つ以上のソレノイドによって動作的に制御され得る。１つ以上の導管１４８は格納リザーバ１４２を細長いフレキシブルなメンバ１０８に流体的に結合する。
【００２９】
流体循環システム１４０はまた、熱交換リザーバ１５２および例えば冷却フィン１５４のような熱伝達構造を含み得る熱交換器１５０を含み得る。１つ以上の導管１５６は熱交換器１５０を細長いフレキシブルなメンバ１０８と流体的に結合する。一部の実施形態は熱交換メカニズムの１部分として追加のリザーバを含み得、または能動的な冷却システムを含み得る。追加としてまたは代替案として、一部の実施形態は流体を暖めるためのヒーターを含み得る。
【００３０】
流体循環システム１４０はポリマー容器部分１１２付近の温度を制御するために動作可能である。例えば、流体循環システム１４０は光エミッタ１１０によって生成される熱を、ポリマー容器部分１１２および管腔１０２から、温度を所望の温度に、または所望の温度近くに維持するために移送し得る。さらにまたは代替的に、流体循環システム１４０は熱をポリマー容器部分１１２および管腔１０２に、例えば光エミッタ１１０の動作の前に管腔１０２における温度の突然の変化を防止するために移送し得る。
【００３１】
図３は記述される一実施形態に従った、少なくとも１つのＬＥＤを含むＳＭＴ光エミッタケースまたはＳＭＤ光エミッタケース１２０を示す。光エミッタケース１２０は、例えばＬＥＤ光源または他の光源のような少なくとも１つの光エミッタデバイスまたは光エミッタ構造を、エポキシポリマーのような透明のポリマーの中に閉じ込める。例示される実施形態において、他の構成がまた有用ではあるのだが、光エミッタケース１２０はレンズのように湾曲するトップ１２２を有する。上記のように、光エミッタデバイスまたは光エミッタ構造は広い空間範囲に放射することが可能であり得るが、光エミッタケースは放射の主軸１２４を有し、その軸に関して空間範囲が定義される。その結果として、一部のＬＥＤは光を２７０度の弧に放射し得るが放射の主軸１２４がやはり存在し、その軸に関して弧が定義される。
【００３２】
光エミッタケース１２０は、光エミッタデバイスまたは光エミッタ構造に通電するために、光エミッタデバイスまたは光エミッタ構造を回路および／または電源に電気的に結合するための外部の電極１２６ａおよび１２６ｂを有する。他のＳＭＴ  ＬＥＤ、またはＳＭＤ  ＬＥＤの設計および他の光エミッタの設計が存在し、有益に使用され得る。
【００３３】
図３および図４は、記述される別の局面に従った、光エミッタケース１３０を示す。光エミッタケース１３０は少なくとも１つの光エミッタデバイスまたは光エミッタ構造を透明のポリマーの中に閉じ込める。上記のように、光エミッタデバイスまたは光エミッタ構造は広い空間範囲に放射することが可能であり得るが、光エミッタケースは放射の主軸１３４を有し、その軸に関して空間範囲が定義される。一部のＬＥＤは光を２７０度の弧に放射し得るが、放射の主軸１３４がやはり存在し、その軸に関して弧が定義される。
【００３４】
光エミッタケース１３０は作動電力をエミッタに提供するために外部の電極１３６ａ、外部の電極１３６ｂを有する。図６Ａ〜図６Ｃを参照して以下でさらに詳細に述べると、電極１３６ａ、電極１３６ｂは、光が反対方向に放射されるように、隣の光エミッタケースに対して相対する関係で光エミッタケース１３０を交互に並べて、線状のアレイ（図６）に配置されることを可能にする。
【００３５】
図６Ａ〜図６Ｃは、記述される一実施形態に従って、複数の光エミッタケース３０４ａ〜３４０ｅ（総体で３０４、５個のみが図示される）を収容するポリマー容器部分３０２に結合される細長いフレキシブルなメンバ３００を示す。
【００３６】
図６Ａおよび図６Ｂに最も良く記述されるように、細長いフレキシブルなメンバ３００はウォール３０６またはそこを通過する管または導管（ｃｈａｎｎｅｌ）３０８を形成する他の構造を含む。管または導管３０８は、伝導経路またはトレースのような伝導導管３１０ａ、伝導導管３１０ｂ、または代わりとして伝導ワイヤーのための経路を提供する。
【００３７】
ポリマー容器部分３０８は複数の光エミッタケース３０４を収容する。光エミッタケース３０４のうちのそれぞれは、光エミッタの少なくとも１つの固有の放射波長帯において、電磁放射を放射するために動作可能な少なくとも１つの光エミッタを含む。光エミッタケース３０４の付近のポリマー容器部分３０８の少なくとも１部分は、光エミッタの少なくとも１つの固有の放射波長帯における、電磁放射に対して少なくとも部分的に透過性を有するべきである。
【００３８】
複数の光エミッタケース３０４ａ〜３０４ｅのそれぞれは、それぞれの放射３１２ａ〜３１２ｅ（総体として３１２、４つのみが図示される）の主軸を有する。光エミッタケース３０４は図４および図５に示されるものと同じ形状を有用にも取り得、または他の形状を取り得る。光エミッタケース３０４は標準的な技術（例えばハンダ付け、リフローハンダ付け）によって、または導電性接着剤によって電極３１４ａ、３１４ｂ（２つのみが図示の明確さのために図に番号付けされる）において、結合され得、ポリマー容器部分３１６に収容され得る。
【００３９】
光エミッタケース３０４は特定の光エミッタのみの選択的な照射、および／または所望の場合には特定のグループの光エミッタのみの選択的な照射を可能にするために結合され得る。この場合または任意の代替の場合において、光エミッタはポリマー容器部分３０２の長手方向に沿って、直列または並列の形で電気的に動作され得る。ポリマー容器部分３０２は結果として、放射の主軸３１２に沿って計測される光エミッタ３０４のうちの１つの寸法ｄｅと、ポリマー容器部分３０２の外側の部分が、矢印３１２の先端または末尾によって示される方向である主要な放射の方向に、放射の主軸３１２に沿って光エミッタ３０４を越えて伸びる縁の部分の寸法ｄｍとの、合計の２倍よりも小さい最大の断面寸法ｄｐを有する。このことは、より低減される断面寸法ｄｐを有用にも提供する。
【００４０】
図７は、記述される一実施形態に従って、複数の光エミッタケース４０４ａ〜４０４ｎ（総体として４０４、図に１２個が示され、７個が番号付けされる）を収容するポリマー容器部分４０２に結合される細長いフレキシブルなメンバ４００を示す。細長いフレキシブルなメンバ４００は図６Ａ〜図６Ｃを参照して上述されたものと同様または同一であり、さらには記述されない。
【００４１】
光エミッタケース４０４のそれぞれは光エミッタの少なくとも１つの固有の放射波長帯において、電磁放射を放射するために動作可能な少なくとも１つの光エミッタを含む。光エミッタケース４０４の付近のポリマー容器部分４０２の少なくとも１部分は、光エミッタの少なくとも１つの固有の放射波長帯における電磁放射に対して少なくとも部分的に透過性を有するべきである。
【００４２】
複数の光エミッタケース４０４ａ〜４０４ｎのそれぞれは、それぞれの放射の主軸４０６ａ〜４０６ｎ（総体として４０６、図に５個のみが示され、番号付けされる）を有する。光エミッタケース４０４は図３に図示される形状を有用にも取り得る。
【００４３】
光エミッタケース４０４は、部分的に重なり合う関係を保って反対方向を向いて配置され、連続して隣接する光エミッタケース４０４が反対方向に向けられ、その結果として、それぞれの主軸４０６が反対方向に向けられる。光エミッタケース４０４のそれぞれの１つの電極４０８ａは、連続して置かれる光エミッタケース４０４の対応する電極４０８ｂのそれぞれに、近接して反対向きの、または接触さえする関係にあり、他の電極４０８ｃは、連続して置かれる光エミッタケース４０４の対応する電極４０８ｄのそれぞれに、近接して反対向きの、または接触さえする関係にある。伝導性のフレキシブルな接着剤は光エミッタケース４０４の相対する電極４０８ａ〜４０８ｄの間に直列の電気接続を提供するために使用され得る。例えば導電経路またはトレースのような導電性導管４１０ａ、４１０ｂはコントローラ１０６（図１）から電力を光エミッタケース４０４に提供し得る。
【００４４】
少なくとも１つの光エミッタデバイスまたは光エミッタ構造をそれぞれ含む光エミッタケース４０４のグループはこの方法で電気的に結合され得、グループとして共に作動され得る。ポリマー容器部分４０２の断面寸法ｄｐは少なくとも、放射の主軸３１２に沿って計測される光エミッタ３０４の１つの寸法ｄｅと、ポリマー容器部分４０２の外側の部分が主要な放出の方向に放射の主軸４０６に沿って光エミッタ４０４を越えて伸びる縁の部分の寸法ｄｍとの、合計の２倍に等しい。
【００４５】
図８Ａ〜図８Ｄは、図示された一実施形態に従って、複数の光エミッタケース５０４ａ〜５０４ｎ（総体として５０４、図に５個が示され、番号付けされる）を収容するポリマー容器部分５０２に結合される細長いフレキシブルなメンバ５００を示す。細長いフレキシブルなメンバ５００は図６Ａ〜図６Ｃを参照して上記されたものと同様、または同一であるので、さらには記述されない。
【００４６】
光エミッタケース５０４のそれぞれは光エミッタの少なくとも１つの固有の放射波長帯において、電磁放射を放射するために動作可能な少なくとも１つの光エミッタを含む。光エミッタケース５０４の付近のポリマー容器部分５０２の少なくとも１部分は、光エミッタの少なくとも１つの固有の放射波長帯における電磁放射に対して少なくとも部分的に透過性を有するべきである。
【００４７】
複数の光エミッタケース５０４ａ〜５０４ｎのそれぞれは、それぞれの放射の主軸５０６ａ〜５０６ｎ（総体として５０６、図に４個のみが示され、番号付けされる）を有する。光エミッタケース５０４は図３に示される形状を有用にも取り得る。
【００４８】
光エミッタケース５０４は、各連続する光エミッタケース５０４ｂの放射の主軸５０６が連続して隣接する光エミッタケース５０４ａ、５０４ｃから反対の方向に向くように、図示のように配置され得る。代替案として、光エミッタケース５０４はグループで配置され得、または主軸５０６が２つの図示された相反する方向よりも多い方向に向かうように配置され得る。
【００４９】
光エミッタケース５０４のそれぞれは１対の電極５０８ａ、５０８ｂを有する。電極５０８ａ、５０８ｂはフレキシブルな金属または金属メッキの成形ポリマーインターコネクト５０９によって電気的に結合され、インターコネクト５０９は各電極５０８ａ、５０８ｂへ、少なくとも２つの電気経路またはトレース５１１ａ、５１１ｂを有する。バイア５１４は導電経路をインターコネクト５０９の一方側から他方側へと提供し得る。例えば導電経路またはトレースのような導電導管５１０ａ、５１０ｂはコントローラ１０６（図１）から電力を光エミッタケース４０４に提供し得る。
【００５０】
ポリマー容器部分３０２は結果として、放射の主軸３１２に沿って測定される光エミッタ３０４のうちの１つの寸法ｄｅと、ポリマー容器部分３０２の外側の部分が、矢印３１２の先端または末尾によって示される主要な放出の方向に放射の主軸３１２に沿って、光エミッタ３０４を超えて伸びる縁の部分の寸法ｄｍとの、合計の２倍よりも小さい最大の断面寸法ｄｐを有し得る。このことは非常に低減される断面の寸法ｄｐを有用にも提供する。これらの実施形態は光エミッタ（例えばＬＥＤ）のサイズおよび／または光エミッタケースのサイズが許容するのと同じくらい小さい断面の寸法ｄｐが形成され得る。
【００５１】
この実施形態はフレキシブルであり、電気的接触もまた、ワイヤーとは異なりフレキシブルであり、その結果として、従来技術のポリマー容器部分５０２が通常の使用において適切な限度内で損傷なく曲ることができる。
【００５２】
図９は細長いフレキシブルなメンバ６００、および例えば２個で１組の６０７ａ、６０７ｂ、６０７ｎのような組６０４ａ〜６０４ｎにグループされる光エミッタケース６０４を有するポリマー容器部分６０２を示す。
【００５３】
光エミッタケース６０４のそれぞれは光エミッタの少なくとも１つの固有の放射波長帯において、電磁放射を放射するために動作可能な少なくとも１つの光エミッタを含む。光エミッタケース６０４の付近のポリマー容器部分６０２の少なくとも１部分は、光エミッタの少なくとも１つの固有の放射波長帯における電磁放射に対して少なくとも部分的に透過性を有するべきである。
【００５４】
４０７の組における光エミッタケース６０４のうちのそれぞれの放射の主軸６０６ａ〜６０６ｄ（総体として６０６、図に４個のみが示され、番号付けされる）は、図示のように同じ方向に並べられ得、かつ向けられ得る。代替案として、それぞれの光エミッタケース６０４の放射の主軸６０６は同じ方向に並べられ得ず、向けられ得ない。連続して隣接する組６０７の放射の主軸６０６は図示のように反対の方向に向かい得る。代替案として、組６０７の放射の主軸６０６は連続して隣接する組と同じ方向に向かい得、または異なる方向に向かい得る。
【００５５】
光エミッタケースの組６０７ａ〜６０７ｎは、フレキシブルな金属またはメッキのポリマーインターコネクト６０９の少なくとも２つの導電経路またはトレース６１１ａ、６１１ｂによって電気的に結合され、インターコネクト６０９はバイア６１４を含み得る。その結果として、光エミッタケースの各組の光エミッタは、所望される場合には、ユニットとして取り扱われ得る。このタイプの配置は、デバイスの全体的な柔軟性を結果的に低減させる、少ない数の屈曲点を有する高密度のパッケージングを提供し得る。明らかに、ポリマー容器部分に沿った光エミッタケース１００の他のグルーピングおよび配置はまた、特定のニーズを満たすために可能である。
【００５６】
図１０は記述される一実施形態に従って、複数の光エミッタケース７０４ａ〜７０４ｎ（総体として７０４、図に６個が示され、番号付けされる）を収容するポリマー容器部分７０２に結合される細長いフレキシブルなメンバ７００を示す。細長いフレキシブルなメンバ７００は図６Ａ〜図６Ｃを参照に上記されたものと同様または同一であるので、さらには記述されない。
【００５７】
光エミッタケース７０４のそれぞれは光エミッタの少なくとも１つの固有の放射波長帯において電磁放射を放射するために動作可能な少なくとも１つの光エミッタを含む。光エミッタケース７０４の付近のポリマー容器部分７０２の少なくとも１部分は、光エミッタの少なくとも１つの固有の放射波長帯における電磁放射に対して少なくとも部分的に透過性を有するべきである。
【００５８】
複数の光エミッタケース７０４ａ〜７０４ｎのそれぞれは、それぞれの放射の主軸７０６ａ〜７０６ｎ（総体として７０６、図において４個のみが示され、番号付けされる）を有する。光エミッタケース７０４は図３に示される形状を有用にも取り得る。
【００５９】
この実施形態において、光エミッタケースの第１の組７０７ａは図１０の左側から右側に数えるあらゆる奇数番目の光エミッタケースを含み、光エミッタケースの第２の組７０７ｂは図１０の左側から右側に数えるあらゆる偶数番目の光エミッタを含む。第１の組の光エミッタケース７０７ａは第１のフレキシブルな金属またはポリマーのインターコネクトの少なくとも２つの導電経路またはトレース７１１ａ、７１１ｂによって、相互に電気的に結合され、第２の組の光エミッタケース７０７ｂは第２のフレキシブルな金属またはメッキされたポリマーのインターコネクトの少なくとも２つの導電経路またはトレース７１１ｃ、７１１ｄによって、相互に電気的に結合される。インターコネクトは例えば、ポリマー容器部分７０２に収容されるフレキシブルな電気絶縁フィルム上に形成され得る。
【００６０】
図１１Ａおよび図１１Ｂは記述される一実施形態に従って、複数の光エミッタケース８０４ａ〜８０４ｎ（総体として８０４、図において４個のみが番号付けられる）を収容するポリマー容器部分８０２に結合される細長いフレキシブルなメンバ８００を示す。細長いフレキシブルなメンバ８００は図６Ａ〜図６Ｃを参照に上記されたものと同様または同一であるので、さらには述べられない。
【００６１】
光エミッタケース８０４のそれぞれは光エミッタの少なくとも１つの固有の放射波長帯において、電磁放射を放射するために動作可能な少なくとも１つの光エミッタを含む。光エミッタケース８０４の付近のポリマー容器部分８０２の少なくとも１部分は、光エミッタの少なくとも１つの固有の放射波長帯において少なくとも部分的に透過性を有するべきである。
【００６２】
複数の光エミッタケース８０４ａ〜８０４ｎは、それぞれの放射の主軸８０６ａ〜８０６ｎ（総体として８０６、図に４個のみが示され、番号付けられる）を有する。
【００６３】
光エミッタケース８０４はらせん状のパターンで配置される。図示される実施形態において、それぞれの放射の主軸８０６はポリマー容器部分８０２から外側に複数の方向に向かい、３６０度にわたり比較的均等な照射を提供するように配置され得る。
【００６４】
光エミッタケースはらせん状の金属のまたはらせん状の成形メタライズポリマーのインターコネクトの多数の導電経路またはトレース８１１ａ〜８１１ｃに電気的に結合される。ポリマー容器構造８０２はより多くのまたはより少ない数の光エミッタケース８０４を使用し得ること、およびそのような光エミッタケース８０４は、ポリマー容器部分８０２の全体から放射される光を提供するために、様々な方法で分散配置され得ることが理解される。
【００６５】
図１２は例示される一実施形態に従って、矢印９０３によって示されるようにポリマー容器部分９０２を少なくとも部分的に受容するようなサイズおよび寸法を有するレセプタクル９０１を形成する、細長いフレキシブルなメンバ９００を示す。
【００６６】
ポリマー容器部分９０２は複数の光エミッタケース９０４を収容する。レセプタクル９０１の付近の細長いフレキシブルなメンバ９００の少なくとも１部分９０６は、光エミッタの少なくとも１つの固有の放射波長帯における電磁放射に対して少なくとも部分的に透過性を有するべきである。接点９０８ａ、９０８ｂがレセプタクル９０１の底９１０において形成され得、補完的な接点９１２ａ、９１２ｂが、ポリマー容器部分９０２の底９１４の上に形成され得、ポリマー容器部分９０２のレセプタクルへの挿入および収容のときに導電経路を提供する。細長いフレキシブルなメンバ９００は、レセプタクル９０１におけるポリマー容器部分９０２の適切な収容および／または確保を確実にするために、機械的な係合構造を含み得る。
【００６７】
図１３は例示される一実施形態に従って、細長いフレキシブルなメンバ１０００および複数の光エミッタケース１００４を収容するポリマー容器部分１００２を形成する単一の構造を示す。細長いフレキシブルなメンバ１０００は有用にもポリマーであり得、単一の部分としてポリマー容器部分１００２と共にキャスト、押し出し、または他の方法で成型され得る。光エミッタケース１００４の付近のポリマー容器部分１００２の少なくとも１部分は、光エミッタの少なくとも１つの固有の放射波長帯における電磁放射に対して少なくとも部分的に透過性を有するべきである。
【００６８】
図１４は例示される一実施形態に従って、カテーテルボディ１１００の形状の細長いフレキシブルなメンバおよび体の管腔１１０６において受容される複数の光エミッタ１１０４を収容するポリマー容器部分１１０２を示す。
【００６９】
伸張可能なメンバ１１０８、例えばバルーンは、管腔１１０６を形成する壁と接合するために、非伸張時の構成（実線１１０８ａで表示）と伸張時の構成（破線１１０８ｂで表示）との間で選択的に伸張し得る。カテーテルボディ１１００は、伸張可能なメンバ１１０８と１つ以上のリザーバ（図示されない）との間で流体（例えば液体またはガス）を移送するために１つ以上の管またはチャネル１１１０を含み得る。一部の実施形態において、流体は光エミッタ１１０４によって生成される熱を体の管腔１１０６から外に移送するために再循環され得る。
【００７０】
伸張可能なメンバ１１０８は図示のように光エミッタ１１０４の上に重なってまたは光エミッタ１１０４を取り囲んで配置され得、その場合には、伸張可能なメンバ１１０８の少なくとも１部分は光エミッタ１１０４の少なくとも１つの固有の放射波長帯における電磁放射に対して少なくとも部分的に透過性を有するべきである。他の実施形態において、伸張可能なメンバ１１０８は光エミッタ１１０４に重ならない、または光エミッタ１１０４を取り囲まないように配置され得る。
【００７１】
一部の実施形態は２つ以上の伸張可能なメンバを含み得る。例えば、一部の実施形態は、光エミッタの前面および後面に配置される２つの伸張可能なメンバを含み得る。そのような実施形態において、第１の伸張可能なメンバは体の流体（例えば血液）の流れを止めるために伸張可能であり得、管腔１１０６の１部分が体の流体を取り除かれた後に第２の伸張可能なメンバは伸張され得る。このことは有用にも体の管腔１１０６が体の流体の妨害なく照射されることを可能にし得る。
【００７２】
図１５は例示される一実施形態に従って、全て体の管腔１２０６の中に受容される、カテーテルボディ１２００および複数の光エミッタ１２０４を収容するポリマー容器部分１２０２の形態の細長いフレキシブルなメンバを示す。カテーテルボディ１２００は、カテーテルボディ１２００およびポリマー容器部分１２０２の挿入に先立って、管腔１２０６に挿入され得るガイドワイヤー１２０８に沿って動くように結合される。
【００７３】
図１６は例示される一実施形態に従って、全て体の管腔１３０６の中に受容される、ガイドワイヤー１３００および複数の光エミッタ１３０４を収容するポリマー容器部分１３０２の形態の細長いフレキシブルなメンバを示す。図はガイドワイヤー１３００に取り付けまたは固定されるポリマー容器部分１３０２を示すが、他の実施形態において、ポリマー容器部分１３０２はスライド可能に、あるいは移動可能にガイドワイヤー１３００に取り付けられ得る。
【００７４】
図１７は例示される一実施形態に従って、医療用器具を製造する方法１４００を示す。
【００７５】
１４０２において、光エミッタは所望のトポロジーに配置される。上記のように、光エミッタは、例えば線状のアレイまたはらせん状の配置のような様々なトポリジーに配置され得る。光エミッタは、放射の主軸が全て共通の方向、反対の方向または３方向以上に向くように配置され得る。光エミッタは部分的に重なり合う背中合わせの関係で配置され得る。光エミッタは、任意のグループの光エミッタの放射の主軸が共通の方向を向くように、または異なる方向を向くように、グループで配置され得る。代替案として、光エミッタは、任意のグループの光エミッタの放射の主軸が様々な方向を向くように、グループで配置され得る。
【００７６】
１４０４において、光エミッタは電気的に結合される。上記のように、光エミッタはワイヤーボンドを使用せず相互に結合され得る。さらに、光エミッタは、例えば背中合わせに、部分的に重なり合う関係で配置されるとき、または隣接する光エミッタの端子が相互に近接または接触する場合には、導電経路またはトレースを使用することなく相互に結合され得る。代替案として、光エミッタは例えばフレキシブルなインターコネクトのような導電経路またはトレースを使用して相互に結合され得る。
【００７７】
１４０６において、光エミッタはポリマー容器部分に収容される。容器は環境的な保護を提供すると共に光エミッタのトポロジーを有用にも固定し得る。
【００７８】
オプションとして１４０８において、収容される光エミッタは細長いフレキシブルなメンバに電気的に結合される。そのような結合は製造の間に達成され得、またはエンドユーザーによって、例えば使用の直前に達成され得る。そのことがデバイスの１部分（例えばカテーテルボディ、ワイヤーガイドまたはポリマー容器部分）が殺菌され再利用されることを可能にし、または目的、患者、病気、または手順に基づいて、特定のコンポーネントの選択を可能にし得る。一部の実施形態において、細長いフレキシブルなメンバおよびポリマー容器部分は単一の構造として形成され、電気結合がすでに存在し得る。
【００７９】
図１８は例示される一実施形態に従って、流体循環システム１４０（図２）を含む医療用システムの照射システム１００を使用する方法１５００を示す。
【００８０】
１５０２において、伸張可能なメンバを有するカテーテルの少なくとも１部分が体の管腔１０２（図２）に挿入される。カテーテルボディおよび／またはガイドワイヤーが、照射される管腔１０２のエリア付近のポリマー容器部分１１２を操作するために使用される。
【００８１】
１５０４において、流体循環システム１４０が、例えば格納リザーバ１４２およびポンプ１４４（図２）を使用して流体媒体によって伸張可能なメンバ１１０８を膨張させるように、伸張可能なメンバ１１０８（図１４）を伸張させる。上記のように、一部の実施形態は１つよりも多い伸張可能なメンバを含み得る。そのような実施形態は、それぞれの伸張可能なメンバを膨張、あるいは作動させるために、追加の格納リザーバ、ポンプ、および／または導管を使用し得る。
【００８２】
１５０６において、コントローラは、体の管腔１０２の少なくとも１部分を照射するために、電力を複数の光エミッタの少なくとも一部に提供する。上記のように、コントローラ１０６は照射の様々な空間的または時間的なパターンをもたらし得、照射の強度を変更、あるいは制御し得る。
【００８３】
１５０８において、流体循環システム１４０は、伸張可能なメンバ１１０８が膨張する間および電力が複数の光エミッタの少なくとも一部に提供される期間の少なくとも１部分の間には、流体媒体を伸張可能なメンバ１１０８の中およびに外へ循環させる。光エミッタによって生成される熱が伸張可能なメンバ１１０８の中の流体に伝達され得、管腔１０２から熱交換器１５０（図２）に移送され得る。代替案としてまたは追加として、光エミッタの動作に先立ちおよび／または光エミッタの動作に続き、管腔を暖めるために、熱が流体によって伸張可能なメンバ１１０８に供給され得る。
【００８４】
１５１０において、伸張可能なメンバ１１０８は少なくとも部分的に収縮される。１５１２において、カテーテルは管腔１０２から除去される。
【００８５】
要約の記述を含む例示された実施形態の上記の記述は網羅的であることを意図せず、また発明の特許請求の範囲を開示された厳密な形態に限定することを意図していない。特定の実施形態および実施例が例示の目的のために本明細書において記述されるが、当業者には理解され得るように、様々な均等な修正が本開示の精神および範囲を逸脱することなく行われ得る。本明細書に提供される教示は、必ずしも上記概説された光力学療法のための例示的なカテーテルタイプの医療用デバイスのみならず、様々な医療用のデバイスに適用され得る。
【００８６】
例えば、腫瘍学のエリアにおいて、ＰＤＴは周辺の健康な組織を実質的に痛めることなく、がん細胞のような病変細胞を処置し、死滅させるために使用され得る可能性を有する。ポリマー容器部分は特定のアプリケーションに必要な、または有用なだけの多くの光エミッタケースを含み得、光エミッタケースは意図されるアプリケーションに必要な、または有用な任意の方法でグループされ得る。
【００８７】
上記の様々な実施形態はさらなる実施形態を提供するために組み合され得る。同一人に譲渡された米国仮特許出願第６０／６４０，３８２号（２００４年１２月３０日出願）、同一人に譲渡された米国特許仮出願第６０／４５５，０６９号（２００３年３月１４日出願）、および同一人に譲渡された米国特許出願第１０／７９９，３５７号（２００４年３月１２日出願）を含むが、それらには限定されない、本明細書において参照され、および／または出願データシートにリストされる全ての米国特許、米国特許出願公報、米国特許出願、外国特許、外国特許出願、および非特許文献が、その全体が本明細書において参考として援用される。必要である場合には、本発明の局面は、またさらなる発明の実施形態を提供するために、システム、回路、並びに様々な特許、出願、および公開物の概念を使用するために修正され得る。
【００８８】
これらのまたは他の変更が上記の記述を踏まえて本発明に対して行われ得る。概して、特許請求の範囲において、使用される用語は本発明を明細書および特許請求の範囲において開示される特定の実施形態に限定すると解釈されるべきではなく、特許請求の範囲に従って動作するあらゆる医療用器具を含むと解釈されるべきである。従って、本発明は開示によって限定されるのではなく、その代わりに本発明の範囲は特許請求の範囲によって完全に決定される。
【図面の簡単な説明】
【００８９】
【図１】図１は、フレキシブルな基板上において導電経路またはトレースにワイヤーボンドされる多数の光エミッタを使用する、従来の光エミッタ構造の部分側面図である。
【図２】図２は、図示される一実施形態に従った、医療用照射システムが体の一部分に照射を提供するために使用され、照射システムはコントローラ、細長いフレキシブルなメンバ、およびフレキシブルなポリマー部分に閉じ込められた複数の光エミッタを有する、環境の概略図である。
【図３】図３は、図示される一実施形態に従った、ＳＭＴ／ＳＭＤ光エミッタの右前上面の等角図である。
【図４】図４は、図示される別の実施形態に従った、ＳＭＴ／ＳＭＤ光エミッタの右前上面の等角図である。
【図５】図５は、図４のＳＭＴ／ＳＭＤ光エミッタの左前上面の等角図である。
【図６Ａ】図６Ａは、図示される一実施形態に従った、細長いフレキシブルなメンバ、および連続する光エミッタが相互に反対を向く関係にある、フレキシブルなポリマー部分に閉じ込められた複数の光エミッタの部分断面図である。
【図６Ｂ】図６Ｂは、図６Ａの断面図に直交する部分断面図である。
【図６Ｃ】図６Ｃは、図６Ａおよび図６Ｂのフレキシブルなポリマー部分に閉じ込められた複数の光エミッタの端面図である。
【図７】図７は、図示される実施形態に従った、細長いフレキシブルなメンバ、および連続する光エミッタが相互に重なり合い反対を向く関係にあり、かつ背中合わせに電気的に結合される、フレキシブルなポリマー部分に閉じ込められた複数の光エミッタの部分断面図である。
【図８Ａ】図８Ａは、図示される実施形態に従った、細長いフレキシブルなメンバ、および連続する光エミッタが相互に反対を向く関係にあり、かつフレキシブルな基板によって担持される伝導経路またはトレースによって相互に直列に電気的に結合される、フレキシブルなポリマー部分に閉じ込められた複数の光エミッタの部分断面図である。
【図８Ｂ】図８Ｂは、伝導経路またはトレースのうちの１つを示す、図８Ａのフレキシブルな基板の平面図である。
【図８Ｃ】図８Ｃは、伝導経路またはトレースのうちの別のものを示す、図８Ａのフレキシブルな基板の底面図である。
【図８Ｄ】図８Ｄは、伝導経路またはトレースのうちの２つおよび基板を貫くバイアを示す、図８Ｃおよび図８Ｄのフレキシブルな基板の端部側面図である。
【図９】図９は、図示される一実施形態に従った、細長いフレキシブルなメンバ、および連続する光エミッタの組が相互に反対を向く関係にあり、かつフレキシブルな基板に担持される伝導経路またはトレースによって相互に直列に電気的に結合される、フレキシブルなポリマー部分に閉じ込められた複数の光エミッタの部分断面図である。
【図１０】図１０は、図示される一実施形態に従った、細長いフレキシブルなメンバ、およびフレキシブルなポリマー部分の中に閉じ込められた複数の光エミッタの部分断面図であり、光エミッタは相互に反対を向く関係にある２つの個別の組に電気的に結合され、各組の光エミッタはフレキシブルな基板によって担持される伝道経路またはトレースによって相互に直列に電気的に結合されている。
【図１１Ａ】図１１Ａは、記述される一実施形態に従った、細長いフレキシブルなメンバ、および光エミッタが、相互にらせん状の関係で配置され、かつ複数の伝導経路またはトレースによって電気的に結合される、フレキシブルなポリマー部分に閉じ込められた複数の光エミッタの部分断面図である。
【図１１Ｂ】図１１Ｂは、図１１Ａのフレキシブルなポリマー部分の中に閉じ込められた光エミッタの端部側面図である。
【図１２】図１２は、図示される一実施形態に従った、フレキシブルなポリマー部分の中に閉じ込められる複数の光エミッタを少なくとも部分的に受容するようなサイズのレセプタクルを有する、細長いフレキシブルなメンバの部分断面図である。
【図１３】図１３は、図示される一実施形態に従った、細長いフレキシブルなメンバおよびフレキシブルなポリマー部分の中に閉じ込められた複数の光エミッタを有する単一の構造の部分断面図である。
【図１４】図１４は、図示される一実施形態に従った、体の管腔の中に少なくとも部分的に受容される、カテーテルボディの形状の細長いフレキシブルなメンバ、フレキシブルなポリマー部分の中に閉じ込められた複数の光エミッタ、および伸張可能なメンバの部分断面図である。
【図１５】図１５は、図示される一実施形態に従った、ガイドワイヤー、カテーテルボディの形状の細長いフレキシブルなメンバ、およびフレキシブルなポリマー部分に閉じ込められた複数の光エミッタの部分断面図であり、カテーテルボディは体の管腔の中で少なくとも部分的に移動するようにガイドワイヤーに物理的に結合されている。
【図１６】図１６は、図示される一実施形態に従った、ガイドワイヤー、ガイドワイヤーの形状の細長いフレキシブルなメンバ、および体の管腔の中で少なくとも部分的に動作するようにガイドワイヤーに物理的に結合されるフレキシブルなポリマー部分の中に閉じ込められた複数の光エミッタの部分断面図である。
【図１７】図１７は、図示される一実施形態に従った、細長いフレキシブルなメンバおよびフレキシブルなポリマー部分の中に閉じ込められた複数の光エミッタを有する、医療用デバイスを形成する方法を示す流れ図である。
【図１８】図１８は、図示される一実施形態に従った、温度を制御するために伸張可能なメンバを通じて流体を循環させることを含む、医療用照射システムを使用する方法を示す流れ図である。
【図１】
2008526319.tif 000003
【図２】
2008526319.tif 000004
【図３】
2008526319.tif 000005
【図４】
2008526319.tif 000006
【図５】
2008526319.tif 000007
【図６Ａ】
2008526319.tif 000008
【図６Ｂ】
2008526319.tif 000009
【図６Ｃ】
2008526319.tif 000010
【図７】
2008526319.tif 000011
【図８Ａ】
2008526319.tif 000012
【図８Ｂ】
2008526319.tif 000013
【図８Ｃ】
2008526319.tif 000014
【図８Ｄ】
2008526319.tif 000015
【図９】
2008526319.tif 000016
【図１０】
2008526319.tif 000017
【図１１Ａ】
2008526319.tif 000018
【図１１Ｂ】
2008526319.tif 000019
【図１２】
2008526319.tif 000020
【図１３】
2008526319.tif 000021
【図１４】
2008526319.tif 000022
【図１５】
2008526319.tif 000023
【図１６】
2008526319.tif 000024
【図１７】
2008526319.tif 000025
【図１８】
2008526319.tif 000026
【国際調査報告】
2008526319.tif 000027
2008526319.tif 000028